【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
無線ローカルエリアネットワーク（ＷＬＡＮ）との共存を強化するために、演算装置を無線パーソナルエリアネットワーク（ＰＡＮ）の他の装置とインタフェースする方法であり、前記ＷＬＡＮが種々のネットワーク装置に対して相互通信する複数のノードにより特徴付けられ、前記無線ＰＡＮが前記ＷＬＡＮを介する送信と比較して低電力の送信により特徴付けられる方法であって、
前記無線ＰＡＮに対するコーディネータとして前記無線ＰＡＮのアクティビティを調整するように前記演算装置を構成する工程と、
前記ＷＬＡＮを介して使用されるプロトコルに部分的にのみ準拠するオーバレイプロトコルであるが共存を可能にする前記プロトコルを使用して前記無線ＰＡＮ装置と通信するためのロジックを含み、前記無線ＰＡＮを介して前記演算装置を無線ＰＡＮ装置にインタフェースするように前記演算装置を適応させる工程と、を備えることを特徴とする方法。
【請求項２】
前記ＷＬＡＮは８０２．１１無線ＬＡＮであることを特徴とする請求項１に記載の方法。
【請求項３】
前記オーバレイプロトコルはＷＬＡＮフレーム形式又はその変形を有するプロトコルを含むため、ＷＬＡＮ装置は、オーバレイプロトコルフレームを受信すると、少なくとも共有無線ネットワーキング媒体の使用を遅延させるのに十分な程度に前記オーバレイプロトコルフレームを解釈できることを特徴とする請求項１に記載の方法。
【請求項４】
前記演算装置とアクセスポイントとの間のデータ転送の前にそれらの間のＬＡＮ接続をセットアップするロジックを含み、前記演算装置をＷＬＡＮにインタフェースするようにロジック及び少なくとも１つのアンテナを含むネットワーク回路を適応させる工程と、
前記オーバレイプロトコルを使用して前記無線ＰＡＮ装置と通信するロジックを含み、前記無線ＰＡＮを介して前記演算装置をＰＡＮ装置にインタフェースするように前記ネットワーク回路を適応させる工程と、
前記無線ＰＡＮ装置及び前記演算装置が前記ＷＬＡＮからの干渉及び前記ＷＬＡＮへの干渉を発生せずに通信できるように、前記演算装置から共有無線ネットワーキング媒体の使用量を調整するために、前記無線ＰＡＮ装置と通信する前記ロジックを使用する工程と、を更に含むことを特徴とする請求項１記載の方法。
【請求項５】
前記ＷＬＡＮに対して前記ネットワーク回路を識別する前記前記ネットワーク回路の第１のＭＡＣアドレスを格納する工程と、
前記無線ＰＡＮに対して前記ネットワーク回路を識別する前記ネットワーク回路の第２のＭＡＣアドレスを格納する工程と、
前記演算装置が前記第１のＭＡＣアドレスを使用して前記ＷＬＡＮと関連付けられる一方で、前記第２のＭＡＣアドレスを使用して前記無線ＰＡＮを介してデータのフレームを送信する工程と、を更に含むことを特徴とする請求項４に記載の方法。
【請求項６】
使用量を調整するために前記無線ＰＡＮ装置と通信するロジックを含む前記演算装置を適応する工程は、他のタスクを有するプロセッサにより実行される命令として前記ロジックを実現するためにプログラマブルデバイスをプログラムするプログラムコードを生成する工程を含むことを特徴とする請求項４に記載の方法。
【請求項７】
前記無線ＰＡＮ装置と通信するロジックを含む前記演算装置を適応させる工程は、他のタスクを有するプロセッサにより実行される命令として前記ロジックを実現するためにプログラマブルデバイスをプログラムするプログラムコードを生成する工程を含むことを特徴とする請求項１に記載の方法。
【請求項８】
演算装置を無線ローカルエリアネットワーク（ＷＬＡＮ）及び無線パーソナルエリアネットワーク（ＰＡＮ）にインタフェースする方法であり、前記ＷＬＡＮが前記無線ＰＡＮ及び個々の装置のネットワークを介して相互通信する複数のノードにより特徴付けられる方法であって、
前記演算装置と前記ＷＬＡＮの他の装置との間のデータ転送の前にそれらの間のＬＡＮ接続をセットアップするロジックを含み、前記演算装置をＷＬＡＮにインタフェースするようにロジック及び少なくとも１つのアンテナを含むネットワーク回路を適応させる工程と、
前記ＷＬＡＮを介して使用されるプロトコルに部分的にのみ準拠するオーバレイプロトコルを使用して前記無線ＰＡＮ装置と通信するロジックを含み、前記無線ＰＡＮを介して前記演算装置をＰＡＮ装置にインタフェースするように前記ネットワーク回路を適応させる工程と、
前記無線ＰＡＮ装置及び前記演算装置が前記ＷＬＡＮからの干渉及び前記ＷＬＡＮへの干渉を発生せずに通信できるように、前記演算装置から共有無線ネットワーキング媒体の使用量を調整するために、前記無線ＰＡＮ装置と通信する前記ロジックを使用する工程と、を備えることを特徴とする方法。
【請求項９】
前記ＷＬＡＮは８０２．１１無線ＬＡＮであることを特徴とする請求項８に記載の方法。
【請求項１０】
前記オーバレイプロトコルはＷＬＡＮフレーム形式又はその変形を使用するため、ＷＬＡＮ装置は、オーバレイプロトコルフレームを受信すると、少なくとも共有無線ネットワーキング媒体の使用を遅延させるのに十分な程度に前記オーバレイプロトコルフレームを解釈できることを特徴とする請求項８に記載の方法。
【請求項１１】
前記ＷＬＡＮに対して前記ネットワーク回路を識別する前記ネットワーク回路の第１のＭＡＣアドレスを格納する工程と、
前記無線ＰＡＮに対して前記ネットワーク回路を識別する前記ネットワーク回路の第２のＭＡＣアドレスを格納する工程と、
前記演算装置が前記第１のＭＡＣアドレスを使用して前記ＷＬＡＮと関連付けられる一方で、前記第２のＭＡＣアドレスを使用して前記無線ＰＡＮを介してデータのフレームを送信する工程と、を更に含むことを特徴とする請求項８に記載の方法。
【請求項１２】
ＬＡＮ接続をセットアップするロジックを含む前記ネットワーク回路を適応する工程は、他のタスクを有するプロセッサにより実行される命令としてＬＡＮ接続ロジックを実現するためにプログラマブルデバイスをプログラムするプログラムコードを生成する工程を含み、
オーバレイプロトコルを使用して前記無線ＰＡＮ装置と通信するロジックを含む前記ネットワーク回路を適応する工程は、前記プロセッサにより実行される命令としてオーバレイプロトコルロジックを実現するために前記プログラマブルデバイスをプログラムするプログラムコードを生成する工程を含むことを特徴とする請求項８に記載の方法。
【請求項１３】
演算装置を無線ローカルエリアネットワーク（ＷＬＡＮ）及び無線パーソナルエリアネットワーク（ＰＡＮ）にインタフェースする方法であり、前記ＷＬＡＮが前記無線ＰＡＮ及び個別の装置のネットワークを介して相互通信する複数のノードにより特徴付けられる方法であって、
前記演算装置とアクセスポイントとの間のデータ転送の前にそれらの間のＬＡＮ接続をセットアップするロジックを含み、前記演算装置を前記ＷＬＡＮにインタフェースするようにロジック及び少なくとも１つのアンテナを含むネットワーク回路を適応させる工程と、
前記無線ＰＡＮに対して調整機能を実行するロジック及び前記ＷＬＡＮを介して使用されるプロトコルに部分的にのみ準拠するオーバレイプロトコルを使用して前記無線ＰＡＮ装置と通信するロジックを含み、前記無線ＰＡＮを介して前記演算装置をＰＡＮ装置にインタフェースするように前記ネットワーク回路を適応させる工程と、
非アクティブ時間を判定する工程と、
前記非アクティブ時間の値に合意するために、必要に応じて前記無線ＰＡＮ装置と前記演算装置との間で通信する工程と、
前記ネットワーク回路により単位時間に消費される電力が使用可能な時に消費される電力と比較して少なくなるように、前記非アクティブ時間の開始後に少なくとも前記演算装置の調整機能の一部を使用不可能にする工程と、を備えることを特徴とする方法。
【請求項１４】
ＬＡＮ接続をセットアップするロジックを含む前記ネットワーク回路を適応させる工程は、他のタスクを有するプロセッサにより実行される命令としてＬＡＮ接続ロジックを実現するためにプログラマブルデバイスをプログラムするプログラムコードを生成する工程を含み、
オーバレイプロトコルを使用して前記無線ＰＡＮ装置と通信するロジックを含む前記ネットワーク回路を適応する工程は、前記プロセッサにより実行される命令としてオーバレイプロトコルロジックを実現するために前記プログラマブルデバイスをプログラムするプログラムコードを生成する工程を含むことを特徴とする請求項１３に記載の方法。
【請求項１５】
演算装置へ及び前記演算装置からデータを無線で通信するために前記演算装置と接続されるように適応された無線ネットワークインタフェース回路であって、
第１の無線ネットワークの個別の装置と通信するためのロジックと、
アクセスポイントへの前記無線ネットワークインタフェース回路の接続のセッションに関連し、少なくとも１つが接続の前記セッションを維持するために必要な情報であるパラメータに対する第１のデータ記憶装置と、
ネットワークコントローラである第２の無線ネットワークのノードと通信するためのロジックであり、前記第２の無線ネットワークが前記第１の無線ネットワークのプロトコルに準拠しないか又は部分的にのみ準拠するプロトコルを使用して動作するロジックと、
前記第２の無線ネットワークの１つ以上のノードに対する前記無線ネットワークインタフェース回路の接続のセッションに関連するパラメータに対する第２のデータ記憶装置であり、前記パラメータのうち少なくとも１つが前記１つ以上のノードとの接続の前記セッションを維持するために必要な情報であり、前記無線ネットワークインタフェース回路が前記第１の無線ネットワークを介して前記アクセスポイント及び前記第２の無線ネットワークを介して前記１つ以上のノードと同時に関連付けられるように構成された第２のデータ記憶装置と、を備えることを特徴とする無線ネットワークインタフェース回路。
【請求項１６】
前記演算装置はバッテリにより電力を供給され且つ移動式又は携帯式であり、携帯装置はある場所からある場所へ容易に移動される装置であり、移動装置はある場所からある場所へ移動している間に動作可能である装置であることを特徴とする請求項１５に記載の無線ネットワークインタフェース回路。
【請求項１７】
前記第１の無線ネットワークは８０２．１５ネットワークであることを特徴とする請求項１５に記載の無線ネットワークインタフェース回路。
【請求項１８】
前記ロジック及び前記記憶装置は専用ネットワーク回路内にあり、前記ロジックは他のタスクを有するプロセッサにより実行される命令として実現され且つ前記記憶装置は他のタスクに対して使用可能なメモリであるか、あるいは前記無線ネットワークインタフェース回路が専用ネットワーク回路により部分的に実現され且つ他のタスクを有するプロセッサにより実行される命令により部分的に実現されるような組み合わせであることを特徴とする請求項１５に記載の無線ネットワークインタフェース回路。
【請求項１９】
前記ロジックはソフトウェアドライバ及び前記ソフトウェアドライバにより少なくとも部分的に操作される前記記憶装置により実現されることを特徴とする請求項１８に記載の無線ネットワークインタフェース回路。
【請求項２０】
演算装置へ及び演算装置からデータを無線で通信するために前記演算装置に接続されるように適応された無線ネットワークインタフェース回路であって、
８０２．１１ｘネットワークである第１の無線ネットワークのアクセスポイントと通信するためのロジックと、
ネットワークコントローラである第２の無線ネットワークのノードと通信するためのロジックであり、前記第２の無線ネットワークが前記第１の無線ネットワークのプロトコルに準拠しないか又は部分的にのみ準拠するプロトコルを使用して動作するロジックと、
マルチプロトコルサポートを可能にし、特定のＭＡＣサービス基本要素へのアクセス権を公開し且つ調整し、サービス品質（ＱｏＳ）に影響され易いアプリケーションの優先度処理を調整するための８０２．１１ｘスタックと種々のドライバとの間のコンバージェンスレイヤ（ｃｏｎｖｅｒｇｅｎｃｅ ｌａｙｅｒ）に対するロジックと、を備えることを特徴とする無線ネットワークインタフェース回路。
【請求項２１】
前記ロジック及び記憶装置は専用ネットワーク回路内にあり、前記ロジックは他のタスクを有するプロセッサにより実行される命令として実現され且つ前記記憶装置は他のタスクに対して使用可能なメモリであるか、あるいは前記無線ネットワークインタフェース回路が専用ネットワーク回路により部分的に実現され且つ他のタスクを有するプロセッサにより実行される命令により部分的に実現されるような組み合わせであることを特徴とする請求項２０に記載の無線ネットワークインタフェース回路。
【請求項２２】
前記ロジックは、ソフトウェアドライバ及び前記ソフトウェアドライバにより少なくとも部分的に操作される前記記憶装置により実現されることを特徴とする請求項２１に記載の無線ネットワークインタフェース回路。
【請求項２３】
演算装置へ及び前記演算装置からデータを無線で搬送するために前記演算装置に接続されるように適応された無線ネットワークインタフェース回路であって、
８０２．１１ｘネットワークである第１の無線ネットワークのアクセスポイントと通信するためのロジックと、
ネットワークコントローラである第２の無線ネットワークのノードと通信するためのロジックであり、前記第２の無線ネットワークが前記第１の無線ネットワークのプロトコルに完全に準拠しないプロトコルを使用して動作するロジックと、
前記第１の無線ネットワークに関連するスタック又は前記第２の無線ネットワークに関連するスタックに対するフレームであると受信フレームを認識するためのロジックと、を備えることを特徴とする無線ネットワークインタフェース回路。
【請求項２４】
受信フレームを認識するための前記ロジックは、データのフレームのＭＡＣアドレスを分析し且つ第１のＭＡＣアドレスをＷＬＡＮと及び第２のＭＡＣアドレスを前記無線ＰＡＮと関連付けるためのロジックを含むことを特徴とする請求項２３に記載の無線ネットワークインタフェース回路。
【請求項２５】
前記ロジック及び記憶装置は専用ネットワーク回路内にあり、前記ロジックは他のタスクを有するプロセッサにより実行される命令として実現され且つ前記記憶装置は他のタスクに対して使用可能なメモリであるか、あるいは前記無線ネットワークインタフェース回路が専用ネットワーク回路により部分的に実現され且つ他のタスクを有するプロセッサにより実行される命令により部分的に実現されるような組み合わせであることを特徴とする請求項２３に記載の無線ネットワークインタフェース回路。
【請求項２６】
前記ロジックは、ソフトウェアドライバ及び前記ソフトウェアドライバにより少なくとも部分的に操作される前記記憶装置により実現されることを特徴とする請求項２５に記載の無線ネットワークインタフェース回路。
【請求項２７】
演算装置を無線ローカルエリアネットワーク（ＷＬＡＮ）及び無線パーソナルエリアネットワーク（ＰＡＮ）にインタフェースする方法であり、前記ＷＬＡＮが前記無線ＰＡＮ及び個別の装置のネットワークを介して相互通信する複数のノードにより特徴付けられる方法であって、
ＷＬＡＮノードにおける演算装置間のデータ転送の前にそれら装置間のＬＡＮ接続をセットアップするロジックを実現する工程を含み、前記演算装置とのＷＬＡＮ通信を調整する工程を含む基本サービスセットを前記ＷＬＡＮのアクセスポイントとして動作させるようにロジック及び少なくとも１つのアンテナを含むネットワーク回路を適応させる工程と、
前記ＷＬＡＮを介して使用されるプロトコルに部分的にのみ準拠するオーバレイプロトコルを使用して前記無線ＰＡＮ装置と通信するロジックを含み、前記無線ＰＡＮを介して前記アクセスポイントをＰＡＮ装置にインタフェースするように前記ネットワーク回路を適応させる工程と、
前記無線ＰＡＮ装置及び前記演算装置が前記ＷＬＡＮからの干渉又は前記ＷＬＡＮへの干渉を発生せずに且つＷＬＡＮノードの分離を必要とせずに通信できるように、共有無線ネットワーキング媒体の使用量を調整するために、前記無線ＰＡＮ装置と通信する前記ロジックを使用する工程と、を備えることを特徴とする方法。